(57)【要約】【課題】尿等の排せつ物の滲みだしや漏れ防止に優れた吸収性物品を提供する。【解決手段】吸収性物品１であって、液透過性のトップシート１１と、液不透過性のバックシート１２と、前記トップシート１１と前記バックシート１２との間に配置され、高吸収性樹脂１５を含有する吸収体１３とを備え、前記吸収体が、吸収体１３の長手方向及び／または短手方向の両端部にそれぞれ沿って、前記高吸収性樹脂１５の高密度層１６が形成されている。高密度層１６が、前記高吸収性樹脂１５とホットメルト接着剤とを備え、圧密化された層である。【選択図】図３
2015027342.tif 000002
【特許請求の範囲】
【請求項１】
吸収性物品であって、
液透過性のトップシートと、
液不透過性のバックシートと、
前記トップシートと前記バックシートとの間に配置され、高吸収性樹脂を含有する吸収体とを備え、
前記吸収体が、長手方向及び／または短手方向の両端部のそれぞれに沿って、前記高吸収性樹脂の高密度層を有することを特徴とする吸収性物品。
【請求項２】
前記高密度層が、前記高吸収性樹脂の坪量において、その他の領域に対して１２０％以上３００％以下であることを特徴とする請求項１に記載の吸収性物品。
【請求項３】
前記高密度層が、前記高吸収性樹脂とホットメルト接着剤とを備え、圧密化された層であることを特徴とする請求項１または２のいずれか１項に記載の吸収性物品。
【請求項４】
前記高密度層が、厚さにおいて、前記吸収体の中央部に対して８０％以上９７％以下であることを特徴とする請求項３に記載の吸収性物品。
【発明の詳細な説明】
【技術分野】
【０００１】
本発明は、尿等の排せつ物の滲みだしや漏れ防止に優れた吸収性物品に関する。
【背景技術】
【０００２】
一般に、使い捨てオムツ、生理用ナプキン等の吸収性物品は、液透過性のトップシートと液不透過性のバックシートとの間に、フラッフパルプ、高吸収性樹脂（Ｓｕｐｅｒ  Ａｂｓｏｒｂｅｎｔ  Ｐｏｌｙｍｅｒ；以下、「ＳＡＰ」という。）、親水性シート等からなる吸収体を備えた構造をとっている。尿、血液等の排せつ物は、肌と接触するトップシートを経由して吸収体に吸収され、吸収体の裏面に配置されたバックシートは、衣服等の外部への排せつ物の漏れを防止している。
【０００３】
このような吸収性物品においては、排せつ物が吸収体の前後左右（ここでいう前後左右とは、吸収性物品を着用者に装着した際の前後方向及び左右方向を指す）の端部に達した場合に、吸収しきれなかった排せつ物が吸収体から滲みだし、トップシートから逆流して漏れが発生することがあった。
【０００４】
排せつ物の滲みだしや漏れを防止するために、例えば、吸収体の長手方向に収縮する一対の立体ギャザーを設け、該立体ギャザーに補助吸収体が配置された使い捨てオムツが提案されている（特許文献１参照）。
【先行技術文献】
【特許文献】
【０００５】
【特許文献１】特開２００４−０８１５７５号公報
【発明の概要】
【発明が解決しようとする課題】
【０００６】
しかしながら、このような吸収性物品に用いられる立体ギャザーは、折り畳まれて収納されているため、吸収性物品は立体ギャザーが完全に広がらない状態で着用者に装着されてしまい、立体ギャザーの漏れ防止機能が正常に作用しない問題があった。また、立体ギャザーに配置された補助吸収体では、左右方向の排せつ物の漏れを防止するには有効であっても、前後方向には効果はなかった。
【０００７】
本発明は、かかる点に鑑みてなされたものであり、尿等の排せつ物の滲みだしや漏れ防止に優れた吸収性物品を提供することを目的とする。
【課題を解決するための手段】
【０００８】
このような目的を達成するため、本発明は、以下の構成によって把握される。
（１）本発明の吸収性物品は、吸収性物品であって、液透過性のトップシートと、液不透過性のバックシートと、前記トップシートと前記バックシートとの間に配置され、高吸収性樹脂を含有する吸収体とを備え、前記吸収体が、長手方向及び／または短手方向の両端部のそれぞれに沿って、前記高吸収性樹脂の高密度層を有することを特徴とする。
【０００９】
この構成によれば、本構成を有しない場合に比して、尿等の排せつ物の滲みだしや漏れ防止に優れた吸収性物品を提供できる。
【００１０】
（２）本発明の吸収性物品は、（１）の構成において、前記高密度層が、前記高吸収性樹脂の坪量において、その他の領域に対して１２０％以上３００％以下であることを特徴とする。
【００１１】
この構成によれば、吸収体とその高配合領域との液拡散性及び吸収速度のバランスがよい吸収性物品を提供できる。
【００１２】
（３）本発明の吸収性物品は、（１）または（２）のいずれかの構成において、前記高密度層が、前記高吸収性樹脂とホットメルト接着剤とを備え、圧密化された層であることを特徴とする。
【００１３】
この構成によれば、高配合領域における高吸収性樹脂の脱落を抑えることができる。
【００１４】
（４）本発明の吸収性物品は、（３）の構成において、前記高密度層が、厚さにおいて、前記吸収体の中央部に対して８０％以上９７％以下であることを特徴とする。
【００１５】
この構成によれば、排せつ物を吸収した高吸収性樹脂が膨潤した際の装着性低下を抑制することができる。
【発明の効果】
【００１６】
本発明によれば、尿等の排せつ物の滲みだしや漏れ防止に優れた吸収性物品を提供することが可能となる。
【図面の簡単な説明】
【００１７】
【図１】この発明に係る吸収性物品を示す概略構成図である。
【図２】この発明に係る吸収体の概略構成図である。
【図３】図１に示す吸収性物品における、Ｘ−Ｘ断面図である。
【発明を実施するための形態】
【００１８】
（実施形態）
上記課題を解決するため、本発明の吸収性物品の好ましい実施の形態（以下、「実施形態」という。）を、添付図面を参照して以下に詳細に説明する。なお、実施形態の説明は、全体を通して同じ要素には同じ番号を付している。また、本発明の用語のうち、「長手方向」とは図１の上下方向を、「短手方向」とは左右方向をそれぞれ意味する。
【００１９】
図１ないし図３に示すとおり、吸収性物品１は、肌と接触する側から順に、液透過性のトップシート１１、吸収体１３、液不透過性のバックシート１２とを含む構成となっている。トップシート１１及びバックシート１２は、吸収体１３を上下に挟み込む形で積層し、その周囲が一部あるいは全周に渡ってホットメルト接着剤（図示せず）により固定されている。
【００２０】
本発明の吸収性物品１としては、特に制限はないが、例えば、使い捨て紙オムツ、生理用ナプキン、パンテイライナー、軽失禁パッド、ライナー等をあげることができる。
【００２１】
本実施形態のトップシート１１は、尿等の排せつ物が吸収体１３へと浸透するような液透過性を備えていればよく、例えば、サーマルボンド不織布等の不織布、サーマルボンド／スパンボンドを積層した複合不織布、開口ポリエチレンフィルム、ポリエチレンフォーム、ウレタンフォーム等の発泡フィルム、あるいは、これらを積層した複合シートといった材料を基材として形成される。また、肌への刺激を低減させるために、トップシート１１に、ローション、酸化防止剤、抗炎症成分、ｐＨ調整剤、抗菌剤、保湿剤等を含有させることも好ましい。さらに、強度および加工性の点から、トップシート１１の坪量は、１０ｇ／ｍ２以上５０ｇ／ｍ２以下、さらに好ましくは１５ｇ／ｍ２以上３０ｇ／ｍ２以下であることが好ましい。
【００２２】
本実施形態のバックシート１２は、吸収体１３が保持している尿等の排せつ物が滲みだしたり下着に漏れたりしないような液不透過性を備えたものであればよく、不織布、樹脂フィルム、あるいはこれらを積層した複合シートといった材料を基材として形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。強度および加工性の点から、バックシート１２の坪量は、１５ｇ／ｍ２以上４０ｇ／ｍ２以下であることが好ましい。また、装着時の蒸れを防止するため、バックシート１２は透湿性を持たせることが好ましい。透湿性を備えさせるために、例えば、基材の樹脂フィルムにフィラーを配合することや、バックシート１２にエンボス加工を施すこと等があげられる。フィラーとしては、炭酸カルシウムをあげることができ、その加工方法は、公知の方法を制限なく行うことができる。
【００２３】
本実施形態の吸収体１３は、図２及び図３に示すように、基材１４と高吸収性樹脂（ＳＡＰ）１５を材料とし、また、吸収体１３の長手方向及び／または幅方向の両端部には、ＳＡＰ１５の高密度層１６が吸収体１３の周囲を囲むように形成されている。
【００２４】
基材１４は、吸液性、導液性、さらにＳＡＰ１５に対する固着性を備えるものであれば特に制限はなく、例えば、フラッフパルプ、親水性シートをあげることができる。また、かかるフラッフパルプとしては、木材パルプ及び合成繊維等を綿状に解繊したもの、親水性シートとしては、ティシュ、吸収紙、親水性不織布をあげることができる。
【００２５】
ＳＡＰ１５は、一般に、使い捨て紙オムツ、生理用ナプキン、尿パッド等の吸収性物品の吸収材料として知られている、０.９％生理用食塩水に対する吸水能を自己重量の数十倍以上有する親水性樹脂であれば特に制限はなく、例えば、ポリアクリル酸ナトリウム、デンプンのグラフト重合体、カルボキシメチルセルロース、ポリビニルアルコールをあげることができる。吸収速度、保水性等の吸収性能の観点から、ポリアクリル酸ナトリウムが好ましい。また、ＳＡＰ１５は、通常吸収性物品に用いられる「粒子」以外に「粉体」、「繊維」が含まれる。
【００２６】
吸収体１３は、上記の材料を用いて、単層あるいは複層のシート状で構成される。吸収体１３は、必ずしも高密度層１６以外のその他の領域でＳＡＰ１５を含んで形成する必要はないが、吸収量確保の観点から、木材フラッフパルプのような、フラッフパルプのウェブの親水性繊維マトリックスをＳＡＰ１５と混合して形成したもの、あるいは、親水性シートにＳＡＰ１５を塗布したＳＡＰシートに対して、ＳＡＰ１５の高密度層１６を形成したものが好ましい。
【００２７】
吸収体１３の形状としては、一般に、使い捨てオムツや生理用ナプキン、尿パッド等の吸収性物品に使用されるものであれば特に制限はなく、例えば、矩形状、砂時計状、Ｉ字状等をあげることができる。
【００２８】
高密度層１６は、吸収体１３の長手方向及び／または短手方向の両端部のそれぞれに沿ってＳＡＰ１５を帯状に散布し、この吸収体１３に散布されたＳＡＰ１５をホットメルト接着剤により吸収体１３に接着させて形成する。これにより、尿等の排せつ物が吸収体１３の長手方向及び／または短手方向の両端部に到達した際、高密度層１６のＳＡＰ１５が排せつ物を吸収して膨潤してゲル化し、排せつ物を堰き止め、吸収体１３の長手方向及び／または短手方向の両端部から、排せつ物の滲みだしや漏れを防止することができる。高密度層１６は、生産性の観点から、吸収体１３の上面（トップシート側）に形成することが好ましい。
【００２９】
ホットメルト接着剤は、吸収性物品において、一般的に用いられるものであれば特に限定はなく、例えば、ＳＩＳ（スチレン／イソプレン／スチレンブロック共重合体）系ホットメルト接着剤、ＳＢＳ（スチレン／ブタジエン／スチレンブロック共重合体）系ホットメルト接着剤、ＳＥＢＳ（スチレン／エチレン／ブチレン／スチレンブロック共重合体）系ホットメルト接着剤等をあげることができる。また、ホットメルト接着剤の塗布量は吸収性を阻害しない程度であれば、使用するホットメルト接着剤の種類やＳＡＰ１５の坪量に応じて適宜設定することができる
【００３０】
長手方向の両端部における高密度層１６Ａは、幅が吸収体１３の短手方向(幅方向)の寸法に対して３％以上１０％以下、長さが吸収体の長手方向（長さ方向）の寸法に対して９０％以上が好ましい。また、短手方向の両端部における高密度層１６Ｂは、幅が吸収体１３の長手方向の寸法に対して８０％以上９５％以下、長さが吸収体の短手方向の寸法に対して３％以上１０％以下が好ましい。高密度層１６Ａ及び高密度層１６Ｂは、互いに接していても隙間を有していても、いずれであってもよい。
【００３１】
高密度層１６を形成する方法として（イ）吸収体１３の片面にホットメルト接着剤を塗布し、ＳＡＰ１５を間欠散布して接着させる、（ロ）吸収体１３の片面にＳＡＰ１５を間欠散布し、その上にホットメルト接着剤を塗布して接着させる、（ハ）吸収体１３の片面にホットメルト接着剤を塗布し、ＳＡＰ１５を間欠散布し、その上にホットメルト接着剤を塗布して接着させる方法があげられる。ＳＡＰ１５の吸収体１３からの脱離防止の観点から、（ハ）の方法が好ましい。
【００３２】
ホットメルト接着剤を塗布する方法として、ヘッドを吸収体１３に接触して塗布する方法や、ノズルから溶融状態のホットメルト接着剤を糸状に吐出し、非接触で塗布するカーテンコート法やスパイラル法をあげることができる。なかでも、非接触で塗布が可能であり、吸収体の吸水性を阻害しない観点から、カーテンコート法やスパイラル法が好ましい。
【００３３】
また、高密度層１６は、排せつ物を吸収したＳＡＰ１５が膨潤し、体積が増加して厚みが増すことにより、吸収性物品１の装着性低下を招く。この装着性低下を防止する観点から、高密度層１６を圧密化して厚みを減じることが好ましい。圧密化処理は、例えば、熱エンボス加工機やロールプレス機により、高密度層１６を押圧して実施することができる。圧密処理時の圧力としては、ＳＡＰ１５が破損しない範囲内であればよい。ＳＡＰ１５が破損すると、その粒子片が吸収体１３から剥離し、吸収性物品１の吸収能を低下させることとなる。高密度層１６は、厚さＴ１が、吸収体中央部の厚さＴ０に対して８０％以上９７％以下となっている。また、９０％以上９７％以下がさらに好ましい。
【００３４】
基材１４とＳＡＰ１５との吸収速度、保水性、液戻り性におけるバランスの観点から、吸収体１３におけるＳＡＰ１５の坪量は１５０ｇ／ｍ２以上３００ｇ／ｍ２以下が好ましい。また、吸収体１３とその高密度層１６との吸収速度及び液拡散性のバランスの観点から、高密度層１６におけるＳＡＰ１５の坪量は、吸収体１３のその他の領域に対して、１２０％以上３００％以下とする構成とし、より好ましくは１５０％以上２５０％以下、さらに好ましくは１５０％以上２００％以下である。長手方向の両端部における高密度層１６Ａと、短手方向の両端部における高密度層１６ＢとのＳＡＰ１５の坪量は、同量でも異なる量でもいずれであってもよい。
【００３５】
吸収体１３には、該吸収体１３の長手方向中央部に沿って、長手方向に延びる圧搾溝（図示せず）が形成されていることが好ましい。この圧搾溝により、吸収性物品１は長手方向に折り曲げやすくなり、装着時に局所へのフィット感を向上することができる。さらに、吸収体１３の表面にエンボス加工を施すと、尿等の排せつ物の拡散をコントロールすると共に、使用者の体型に応じて吸収体１３が容易に変形するので好ましい。
【００３６】
ＳＡＰ１５の漏洩防止や吸収体１３の形状を安定させるために、吸収体１３をティシュのような親水性のキャリアシート１７に包むことが好ましい。キャリアシート１７による吸収体１３の包み方は、例えば、図３に示すように、キャリアシート１７を吸収体１３の長手方向に沿って下面（バックシート側）および前後側面（背側および腹側）に添わせ、次いで上面（トップシート側）に添わせてこの上面で両端面を重ね合せ、ホットメルト接着剤（図示せず）により接着しているが、この限りではない。
【００３７】
吸収体１３の上面への尿等の排せつ物の拡散を促進させるために、トップシート１１と吸収体１３との間に、液拡散性シート１８を設けることができる。かかる液拡散性シート１８としては、例えば、エアスルー不織布、ポイントボンド不織布、スパンボンド不織布があげられる。液拡散シート１８の厚さは、０．１ｍｍ以上が好ましく、その坪量は１５ｇ／ｍ２以上が好ましい。厚さが０．１ｍｍ未満、あるいは、坪量が１５ｇ／ｍ２未満であると、吸収体１３の上面全体への液体の拡散が十分に行われないので好ましくない。また、液拡散性シート１８の形状は、特に制限はないが、尿等の液体が、くまなく吸収体１３に拡散するように、吸収体１３の表面を完全に覆うことができる形状であることが好ましい。
【００３８】
さらに、排せつ物の横漏れを防止するために、吸収性物品１の長手方向両側縁部に、撥水性の不織布と糸ゴム等の弾性伸縮部材からなる、立体ギャザー１９を設けることもできる。
【００３９】
以上、実施形態を用いて本発明を説明したが、本発明の技術的範囲は上記実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることは、特許請求の範囲の記載から明らかである。
【符号の説明】
【００４０】
１      吸収性物品
１１    トップシート
１２    バックシート
１３    吸収体
Ｔ０    吸収体中央部の厚さ
Ｔ１    ＳＡＰ高配合領域の厚さ
１４    基材
１５    高吸収性樹脂（ＳＡＰ）
１６    高密度層
１６Ａ  長手方向両端部の高密度層
１６Ｂ  短手方向両端部の高密度層
１７    キャリアシート
１８    液拡散性シート
１９    立体ギャザー
【図１】
2015027342.tif 000003
【図２】
2015027342.tif 000004
【図３】
2015027342.tif 000005